(57)【特許請求の範囲】
【請求項１】
燃焼装置のハウジング内に内蔵するようにしたポンプ機構の取付構造において、
水の入口および出口が開設され、ポンプ動作のための水が溜められるポンプ室の底部に下方に向けて水抜き口を開設し、
該水抜き口に水抜き栓を嵌着し、該水抜き口に対応して前記ハウジングの底部に挿通孔を開設し、
前記水抜き栓を弛めてポンプ室の水抜きを可能にしたことを特徴とするポンプ機構の取付構造。
【請求項２】
燃焼装置のハウジング内に内蔵するようにしたポンプ機構の取付構造において、
ポンプ本体の側壁部を前記ハウジングの内側壁に近接するようにして配置し、
水の入口および出口が開設され、ポンプ動作のための水が溜められるポンプ室の底部に下方に向けて水抜き口を開設し、
該水抜き口に水抜き栓を嵌着し、該水抜き口に対応して前記ハウジングの底部に挿通孔を開設し、
前記水抜き栓を弛めてポンプ室の水抜きを可能にしたことを特徴とするポンプ機構の取付構造。
【請求項３】
前記ポンプ機構は、作動時にポンプ室内に溜められる自吸用の水が、ポンプ室における入口側の空気を出口側に排出して、呼水を可能にする自吸式ポンプであることを特徴とする請求項１または２に記載のポンプ機構の取付構造。
【請求項４】
前記水抜き栓は該ハウジングの下方から挿通孔を通して前記水抜き口に嵌着可能であることを特徴とする請求項１または２に記載のポンプ機構の取付構造を有する燃焼装置。
【発明の詳細な説明】
【０００１】
【産業上の利用分野】
本発明は、壁に沿って配設されるハウジング内に、内蔵するようにしたポンプ機構およびその取付構造に関する。
【０００２】
【従来の技術】
従来の壁に沿って配設される給湯器付風呂釜等の燃焼装置におけるポンプ機構としては、ポンプ室の底部に外側水平方向に向けて水抜き口が開設され、ポンプ機構を収容する燃焼装置のハウジングの側壁部に挿通孔が穿説され、該挿通孔に外側方から水抜き栓を通して水抜き口に嵌着するようにしたものや、図９に示すように、ポンプ室底部１に外側水平方向に開設された水抜き口２からＬ字形管などで下向きにした上で、ハウジング底面部に開設された挿通孔に下方から水抜き栓を通し、水抜き栓を水抜き口２に嵌着するものが一般的である。
また、ポンプ室内には自吸用の水が溜められており、自吸用の水が凍結しないように、ポンプ室の底部に開設された水抜き口を通して排出されるようになっている。
【０００３】
【発明が解決しようとする課題】
しかしながら、このような従来の壁に沿って配設される給湯器付風呂釜等の燃焼装置におけるポンプ機構では、水抜き栓がハウジングの側壁部から外側方へ突出するようになるため、ハウジングを据え付ける際に、ハウジングの外側壁部を例えば据付壁面からある程度離して据え付けるようにし、組立時や水抜き時の作業スペースを確保する必要があり、その関係から広い据付スペースが必要になるという問題点があった。また、ハウジング内でポンプ底部水平方向からＬ字形管その他でハウジング底面まで配管する場合も、ハウジング内部スペースを必要とするからハウジングの大型化等の問題点があった。
本発明は、このような従来の問題点に着目してなされたもので、ポンプ機構のポンプ室の底部に下方に向けて水抜き口を開設し、ハウジングの下方から水抜き栓を水抜き口に嵌着可能な構成にしたので、ハウジングの外側壁部を据付壁面に接近させて配置することができ、また、ハウジングそのものもより小型化できるので、比較的狭いスペースに本装置を据え付けることができる壁に沿って配設される給湯器付風呂釜等の燃焼装置におけるポンプ機構を提供することを目的としている。
【０００４】
【課題を解決するための手段】
かかる目的を達成するための本発明の要旨とするところは、次の各項の発明に存する。
１  燃焼装置のハウジング内（１１）に内蔵するようにしたポンプ機構の取付構造において、
水の入口および出口が開設され、ポンプ動作のための水が溜められるポンプ室（６２）の底部に下方に向けて水抜き口（６６）を開設し、
該水抜き口（６６）に水抜き栓（６１）を嵌着し、該水抜き口（６６）に対応して前記ハウジング（１１）の底部に挿通孔を開設し、
前記水抜き栓（６１）を弛めてポンプ室（６２）の水抜きを可能にしたことを特徴とするポンプ機構の取付構造。
【０００５】
２  燃焼装置のハウジング（１１）内に内蔵するようにしたポンプ機構の取付構造において、
ポンプ本体の側壁部を前記ハウジング（１１）の内側壁に近接するようにして配置し、
水の入口および出口が開設され、ポンプ動作のための水が溜められるポンプ室（６２）の底部に下方に向けて水抜き口（６６）を開設し、
該水抜き口（６６）に水抜き栓（６１）を嵌着し、該水抜き口（６６）に対応して前記ハウジング（１１）の底部に挿通孔を開設し、
前記水抜き栓（６１）を弛めてポンプ室（６２）の水抜きを可能にしたことを特徴とするポンプ機構の取付構造。
【０００６】
３  前記ポンプ機構は、作動時にポンプ室（６２）内に溜められる自吸用の水が、ポンプ室（６２）における入口（６３）側の空気を出口（６４）側に排出して、呼水を可能にする自吸式ポンプ（６０）であることを特徴とする項１または２に記載のポンプ機構の取付構造。
【０００７】
４  前記水抜き栓（６１）は該ハウジング（１１）の下方から挿通孔を通して前記水抜き口（６６）に嵌着可能であることを特徴とする項１または２に記載のポンプ機構の取付構造を有する燃焼装置。
【０００８】
【作用】
ポンプ機構のポンプ室（６２）の底部に下方に向けて水抜き口（６６）を開設し、ハウジング（１１）の下方から水抜き栓（６１）を水抜き口（６６）に嵌着可能な構成にしたので、ハウジング（１１）の外側壁部を据付壁面に接近させて配置することができる。それにより、ポンプ室（６２）の側部に外側方へ向けて水抜き口（６６）を開設した場合に比較して、水抜き栓（６１）がハウジング（１１）の側壁部から外側方へ突出することがないので、ハウジング（１１）を据え付ける際に、ハウジング（１１）の外側壁部をわざわざ据付壁面からある程度離して据え付ける必要がなく、本装置を比較的狭いスペースで据え付けることができる。
ポンプ機構の組立時や水抜き時の作業は、ハウジング（１１）の下方に作業スペースを確保することにより可能となる。
【０００９】
請求項２記載のポンプ機構の取付構造では、
ポンプ機構のポンプ室（６２）の底部に下方に向けて水抜き口（６６）を開設したので、ポンプ本体の側壁部と、熱交換器等を収容するためのハウジング（１１）の内側壁との間に、例えば、組付時スペースを確保する必要がなく、ポンプ本体の側壁部を、熱交換器等を収容するためのハウジング（１１）の内側壁に近接するようにして配置することが可能となり、ハウジング（１１）が両側方向へ嵩張らないで、装置全体を小型にすることができる。
【００１０】
請求項３記載のポンプ機構では、
ポンプ室（６２）内には自吸用の水が溜められている場合には、自吸用の水を、水抜き口（６６）を通して排出し、自吸用の水が凍結しないようにすることができる。
【００１１】
請求項４記載のポンプ機構の取付構造では、
ハウジング内でポンプ底部外側水平方向に開設された水抜き口からＬ字形管等でハウジング底面に配管して、ハウジング底部水抜き栓を取り付けた場合も配管スペースを必要としたので、ハウジングの大型化の問題があったが、本ポンプであれば極めてハウジング内空間を小さくできる。
【００１２】
【実施例】
以下、図面に基づき本発明の一実施例を説明する。
図１〜図８は本発明の一実施例を示している。
図１〜図３に示すように、ガス燃焼装置の本体であるハウジング１１は、ハウジング本体１２と、フロントカバーとを有している。ハウジング１１は、壁に沿って配設されるものであるが、ここで、壁には、壁に沿って配管されるガス管等のパイプシャフトも含まれる。
【００１３】
ハウジング１１内には、下から順にファン２４、並設した給湯用のバーナユニット２５とふろ用のバーナユニット２５ａ、並設した給湯用熱交換器２６とふろ用熱交換器２６ａが収容されている。給湯用熱交換器２６およびふろ用熱交換器２６ａの各上部には、カバーでそれぞれ囲われた排気室２７，２７ａがそれぞれ配置されている。
給湯用熱交換器２６の給湯燃焼室の上方空間には給水パイプ３１が配管され、給水パイプ３１には給湯パイプ３２が接続され、水量制御弁および逆止弁を介して給湯先に延設されている。また、給湯パイプ３２には分岐パイプ３３が接続され、分岐パイプ３３が注湯パイプ３５、注湯装置３４、水位センサ４３を介してＴ型ゴムホース４２に接続され、Ｔ型ゴムホース４２の一方口が自吸式ポンプ６０の出口に接続され、Ｔ型ゴムホース４２の他方口が追焚きパイプ（Ａ）３７ａに接続されている。追焚きパイプ（Ａ）３７ａに接続する追焚きパイプ（Ｂ）３７ｂが、ふろ用熱交換器２６ａのふろ燃焼室の上方空間に配管され、追焚きパイプ（Ｂ）３７ｂには追焚き往パイプ３８が接続されている。追焚き戻りパイプ３９が二方弁４１を介して自吸式ポンプ６０の入口に接続されている。
【００１４】
図１、図２、図４および図５に示すように、注湯装置３４は、排水タンク４４のタンクカバー４９に載置されている。排水タンク４４には排水パイプ４５を介して二方弁４１が接続されている。排水タンク４４のタンク外面にはタンクヒータ４６が装着されている。また、自吸式ポンプ６０の底部には、取付板４７が固設され、取付板４７の前縁および後縁にそれぞれ形成されたフランジ部には、防振ゴム４８がそれぞれ外嵌している。組立板５１の後縁部５１ａに形成されたコ字形状断面の溝５２には後側の防振ゴム４８が嵌着され、組立板５１の前フランジには、Ｌ字状断面形の止め板５７が固着され、止め板５７には前側の防振ゴム４８が嵌着されている。
組立板５１の外側端部には、二方弁４１の脚部材となる補強部材５３が立設され、組立板５１の内側端部には、タンクカバー４９の脚部材となる側壁部５４が一体的に立設されている。
【００１５】
図１、図２、図４および図６に示すように、ポンプ機構を構成する組立板５１には、３つの被支持部が形成されている。一つ目の被支持部は、組立板５１の後縁部５１ａであり、２つ目の被支持部は、組立板５１の外側端部に穿設した略矩形状の孔５５であり、３つ目の被支持部は、組立板５１の側壁部５４の前面フランジに穿設された下孔５６である。
組立板５１の後縁部５１ａに対応してハウジング本体１２の奥壁部には、ポンプ機構を取り込んだ際に、組立板５１の後縁部５１ａが嵌合して組立板５１の後縁部５１ａを上方から押さえ付けようになるビード部材１５が固着されている。また、ハウジング本体１２の底部には、ポンプ機構を取り込む際に、略矩形状の孔５５に対して相対移動して略矩形状の孔５５の前縁部に係合するようになる舌片部１６が形成されている。さらに、ハウジング本体１２の底部には、立設したフランジ部にネジ孔１７が下孔５６に対応して螺設されている。ハウジング本体１２の内側壁には、自吸式ポンプ６０のポンプ室６２の外側壁部が近接して配置されている。
【００１６】
図１および図６〜図８に示すように、自吸式ポンプ６０のポンプ室６２内には自吸用の水が貯溜可能になっている。ポンプ室６２の天井部には出口６４が開設され、ポンプ室６２には、水平軸回りに回転する羽根車６５が内装され、羽根車６５は管形状に成っていて、羽根車６５の管内および管外は、その半分以上が自吸用の水で水没している。羽根車６５の一端部はポンプ室６２を通り抜けて、ポンプ室６２外へ延ばされ、羽根車６５の一端部には、吸水用の入口６３に連通する吸水口が開設されている。羽根車６５の他端部には、出口６４に連通する吐出口が開設されている。
羽根車６５の自吸作用としては、羽根車６５が回転すると、貯溜されている羽根車６５の管内の自吸用の水が、前記吐出口を通ってポンプ室６２内に流入する。それにより、入口６３側の空間が真空に近くなり、入口６３側の空気が自吸用の水と混合して羽根車６５の管内に吸い込まれ、ポンプ室６２内に流れ込み出口６４を通ってポンプ室６２外に排出される。一方、自吸用の水はポンプ室６２内を循環する。羽根車６５が回転し続けると、入口６３側の空気がだんだんポンプ室６２外に排出され、入口６３に向かって水が上がってくる。そして、入口６３側の空気が全部排出されると、水が入口６３〜羽根車６５を通ってポンプ室６２にどっと流れ込むように成っている。
【００１７】
ポンプ室６２の底部には水抜き口６６が下方へ開設されている。水抜き口６６には水抜用の栓６１が下方から嵌着されている。水抜き口６６は、下方に向かって徐々に拡径する円錐状筒部６７と、円錐状筒部６７に続く円筒部６８とからなり、円筒部６８の内壁には、雌ネジ部が形成されている。水抜用の栓６１の先端部には、小径部６１ａと大径部６１ｂとが、段差部６１ｃを介して連続して形成されている。段差部６１ｃには、円錐状筒部６７に圧接するＯリングが嵌合し、大径部６１ｂに形成された円周状溝部には、円筒部６８に圧接するＯリングが嵌合している。水抜用の栓６１の基端部には、前記雌ネジ部に螺合する雄ネジ部が形成されている。
【００１８】
次に作用を説明する。
ポンプ機構をハウジング１１内に取り込んでいくと、組立板５１の後縁部５１ａがビード部材１５の下方に嵌り込むとともに、舌片部１６が略矩形状の孔５５を相対的に通ってその前縁部に係合し、それにより、ポンプ機構の位置決めがなされる。前後して、組立板５１の下孔５６がハウジング本体１２側のネジ孔１７に接するようになり、ねじ部材を下孔５６に通してネジ孔１７に螺合していけば、ポンプ機構を固定することができる。
【００１９】
このとき、例えば、ねじ締め用の取付工具をポンプ機構が取り込まれる方向と同じ方向で差し込んで、ねじ部材を螺合していくことができ、手をハウジング１１内に差し込む必要がない。また、ハウジング本体１２の内側壁に近接して、自吸式ポンプ６０のポンプ室６２の側壁部が配置されるが、ハウジング本体１２の内側壁と、自吸式ポンプ６０のポンプ室６２の側壁部との間の隙間に手を差し入れるための組付作業スペースを確保する必要がなく、ハウジング１１が両側方向へ嵩張らないで、装置全体を小型にすることができる。
自吸式ポンプ６０のポンプ室６２の水抜き口６６は、下方に向けて開設されているので、ハウジング１１の下方から水抜き栓６１を水抜き口６６に嵌着することができる。それにより、ポンプ室６２の側部に外側方へ向けて水抜き口６６を開設した場合に比較して、水抜き栓６１がハウジング１１の側壁部から外側方へ突出することがないので、ハウジング１１を据え付ける際には、ハウジング１１の外側壁部をわざわざ据付壁面からある程度離して据え付ける必要がなく、ハウジング１１の下方に比較的狭い作業スペースを確保するだけで済む。
【００２０】
自吸式ポンプ６０においては、羽根車６５の管内および管外の半分以上が水没するように自吸用の水が溜められており、羽根車６５が回転し続けると、入口６３側の空気がだんだんポンプ室６２外に排出され、入口６３に向かって水が上がってくる。そして、入口６３側の空気が全部排出されると、水が入口６３〜羽根車６５を通ってポンプ室６２にどっと流れ込むようになる。それにより、水が出口６４〜Ｔ型ゴムホース４２〜追焚きパイプ（Ａ）３７ａ〜追焚きパイプ（Ｂ）３７ｂを通ってふろ用熱交換器２６ａ内に送り込まれる。
羽根車６５を回転停止すると、入口６３側の水は重力によって水源側に流れ落ちるが、このとき、図示省略した逆止弁が吸い付けられて閉まり、自吸式ポンプ６０内には、次回運転時に必要な水が残される。
自吸式ポンプ６０内の自吸用の水を排出するには、水抜用の栓６１を弛めて水抜き口６６から抜けば、自吸用の水が水抜き口６６を通って外へ排出し、自吸用の水が凍結しないようにすることができる。
【００２１】
【発明の効果】
本発明にかかる燃焼装置のポンプ機構の取付構造によれば、自吸式のポンプ機構のポンプ室の底部に下方に向けて水抜き口を開設したので、水抜き口が横に出っ張ることがなく、横方向の取り回しが容易で配置しやすく、ハウジングの下方から水抜き栓を水抜き口に嵌着可能な構成にしたので、ハウジングの外側壁部の側方に水抜き栓を組み付ける際の作業スペースが不要になり、ハウジングを据付壁面に接近させて配置することができ、比較的狭いスペースに本装置を据え付けることができる。
【図面の簡単な説明】
【図１】本発明の一実施例を示すポンプ機構の取付状態部分正面図である。
【図２】本発明の一実施例を示す燃焼装置の部分分解斜視図である。
【図３】本発明の一実施例を示す燃焼装置の概念図である。
【図４】本発明の一実施例を示すポンプ機構の取付状態側面図である。
【図５】本発明の一実施例を示すポンプ機構の部分底面図である。
【図６】本発明の一実施例を示すポンプ機構の自吸式ポンプの部分破断側面図である。
【図７】本発明の一実施例を示すポンプ機構の自吸式ポンプの背面図である。
【図８】本発明の一実施例を示すポンプ機構の自吸式ポンプの部分底面図である。
【図９】従来例を示すポンプ機構の部分底面図である。
【符号の説明】
１１…ハウジング
１２…ハウジング本体
１５…ビード部材
１６…舌片部
１７…ネジ孔
２４…ファン
２５…給湯用のバーナ機構
２５ａ…ふろ用のバーナ機構
２６…給湯用熱交換器
２６ａ…ふろ用熱交換器
２７，２７ａ…排気室
３１…給水パイプ
３２…給湯パイプ
３３…分岐パイプ
３４…注湯装置
３５…注湯パイプ
３６…自吸式ポンプ
３７ａ…追焚きパイプ（Ａ）
３７ｂ…追焚きパイプ（Ｂ）
３８…追焚き往パイプ
３９…追焚き戻りパイプ
４１…二方弁
４２…Ｔ型ゴムホース
４３…水位センサ
４４…排水タンク
４５…排水パイプ
４６…タンクヒータ
５１…組立板
５１ａ…組立板の後縁部
５２…コ字状断面の溝
５３…補強部材
５４…側壁部
５５…略矩形状の孔
５６…下孔
５７…止め板
６０…自吸式ポンプ
６１…水抜用の栓
６２…ポンプ室
６３…入口
６４…出口
６５…羽根車
６６…水抜き口
６７…円錐状筒部
６８…円筒部
【図１】
0003880081.tif 000002
【図２】
0003880081.tif 000003
【図３】
0003880081.tif 000004
【図４】
0003880081.tif 000005
【図５】
0003880081.tif 000006
【図６】
0003880081.tif 000007
【図７】
0003880081.tif 000008
【図８】
0003880081.tif 000009
【図９】
0003880081.tif 000010